(57)【要約】【課題】  レンズ筺体にある接続コネクタが露出していると、操作者が誤って本来接続しない外部装置と接続し、誤動作で所望する動作が困難となったり、供給される電源容量次第では制御回路が破損して撮影に支障をきだす恐れがある。【解決手段】略円筒状のレンズ筺体と、レンズ筺体のズーム駆動、アイリス駆動を行うドライブユニットと、レンズ筺体とドライブユニットを着脱自在に取り付けする取付手段と、ドライブユニットに設けられた接続ケーブルと、レンズ筺体に設けられた略凸形状のコネクタ用筺体と、コネクタ用筺体に設けられ、且つ接続ケーブルと接続する接続コネクタと、接続コネクタを保護する保護カバーと、保護カバーを開いて接続ケーブルと接続コネクタを接続可能な状態とする開閉手段を有する。ことで従来技術の課題は解決される。【選択図】  図2
2018077366.tif 000002
【特許請求の範囲】
【請求項１】
円筒状のレンズ筺体と、該レンズ筺体のズーム駆動、アイリス駆動を行うドライブユニットと、前記レンズ筺体と前記ドライブユニットを着脱自在に取り付けする取付手段と、前記ドライブユニットに設けられた接続ケーブルと、前記レンズ筺体に設けられた凸形状のコネクタ用筺体と、該コネクタ用筺体に設けられ、且つ前記接続ケーブルと接続する接続コネクタと、該接続コネクタを保護する保護カバーと、前記保護カバーを開いて前記接続ケーブルと前記接続コネクタを接続可能な状態とする開閉手段を有していることを特徴とするレンズ装置。
【請求項２】
前記開閉手段は、前記保護カバーの開閉用の回転軸と、前記保護カバーを閉じた状態で保持する弾性力を有する保持手段と、前記回転軸を介して前記保護カバーと反対側に設けられた当接板と、該当接板を前記保持手段の弾性力に反して押し当てて前記保護カバーを開いた状態とする前記ドライブユニットに設けられた当接軸を有することを特徴とする請求項１に記載のレンズ装置。
【請求項３】
前記レンズ筺体と前記ドライブユニットが前記取付手段により取り付けられた状態の時に、前記開閉手段による前記保護カバーの開閉状態を切り替える切替手段を有することを特徴とする請求項２に記載のレンズ装置。
【請求項４】
前記切替手段は、前記当接軸の出張り位置を変更することで前記保護カバーの開閉状態を切り替えることを特徴とする請求項３に記載のレンズ装置。
【請求項５】
前記当接軸は、前記レンズ筺体と前記ドライブユニットを取り付ける時の位置決め用の基準軸であることを特徴とする請求項３又は４に記載のレンズ装置。
【発明の詳細な説明】
【技術分野】
【０００１】
本発明はレンズ装置に関し、特にレンズ本体に外部装置との接続用コネクタを有するレンズ装置に関する。
【背景技術】
【０００２】
特許文献１は、ドライブユニットと無線アダプタを備えたレンズ装置である。レンズ本体のエクステンダ筺体部に無線アダプタを配置し、レンズ本体に取り付けられたドライブユニットとはレンズ本体の周囲に配線するケーブルを介して、互いのコネクタに接続される構造の技術が開示されている。
【先行技術文献】
【特許文献】
【０００３】
【特許文献１】特開２０１１−２５７６９４号公報
【発明の概要】
【発明が解決しようとする課題】
【０００４】
しかしながら従来のレンズ装置では、以下に述べるような問題点が生じていた。ドライブユニットに設けられたコネクタや接続ケーブルは、カメラ装置や、レンズのフォーカスやズーム操作を行う操作装置と接続される。同様に特許文献１の無線アダプタも、操作装置のコネクタへケーブルを介して接続され、無線動作を行うための送受信を行い、またドライブユニットより動作のために必要な電源供給を受けることができる。
【０００５】
ところで無線アダプタ側のコネクタは、レンズ本体の筺体外側へ露出しており、ドライブユニット以外の外部装置ともコネクタ形状が合致すれば接続可能な状態となっている。従って操作者が誤って本来接続しない外部装置を接続することも可能であり、誤動作で所望する動作が困難となったり、供給される電源容量次第では制御回路が破損して撮影に支障をきだす恐れがある。
【０００６】
そこで本発明の例示的な目的は、レンズ本体のコネクタへの接続に関して、誤動作を回避して円滑に動作するレンズ装置を提供することにある。
【課題を解決するための手段】
【０００７】
略円筒状のレンズ筺体と、レンズ筺体のズーム駆動、アイリス駆動を行うドライブユニットと、レンズ筺体とドライブユニットを着脱自在に取り付けする取付手段と、ドライブユニットに設けられた接続ケーブルと、レンズ筺体に設けられた略凸形状のコネクタ用筺体と、コネクタ用筺体に設けられ、且つ接続ケーブルと接続する接続コネクタと、接続コネクタを保護する保護カバーと、保護カバーを開いて接続ケーブルと接続コネクタを接続可能な状態とする開閉手段を有することで従来技術の課題は解決される。
【０００８】
本発明の更なる目的、又はその他の特徴は、以下、添付の図面を参照して説明される好ましい実施例等によって明らかにされるであろう。
【発明の効果】
【０００９】
本発明によれば、レンズ本体のコネクタへの接続に関して、誤動作を回避して円滑に動作するレンズ装置を提供することができる。
【図面の簡単な説明】
【００１０】
【図１】本発明の請求項1から5に係る構成のレンズ装置の概要を表した概要図である。
【図２】本発明の請求項１から5に係る構成のレンズ装置のレンズ筺体とドライブユニットの概要を表した概要図である。
【図３】本発明の請求項１から5に係るレンズ筺体とドライブユニットの連結部の概要を表した概要図である。
【図４】本発明の請求項１から5に係るレンズ筺体とドライブユニットの連結部の概要を表した概要図である。
【図５】本発明の請求項１から5に係る切替ノブと周辺構造の概要を表した概要図である。
【図６】本発明の請求項１から5に係る保護カバーの開閉構造の概要を表した概要図である。
【図７】本発明の請求項１から5に係る保護カバーの開閉構造の概要を表した概要図である。
【図８】本発明の請求項１から5に係る構成のレンズ装置のレンズ筺体とドライブユニットの概要を表した概要図である。
【発明を実施するための形態】
【００１１】
以下に、本発明の実施の形態を添付の図面に基づいて詳細に説明する。
［実施例］
図1は、本発明の構成を有するレンズ装置の概要を示す概要図である。レンズ装置100は、レンズ筺体200と、レンズ筺体200のズーム、アイリスの操作を行うドライブユニット300で構成される。レンズ筺体200とドライブユニット300は、後述する連結部により取り付け、取り外しが可能となっている。
【００１２】
レンズ筺体200は、前面より略円筒形状の前側筐体1、中筐体2、そしてマウント側筺体3で構成される。中筺体2は、フォーカス回転ギア4、ズーム回転ギア5、アイリス回転ギア6を有し、またマウント側筺体3は、カメラ装置（図示せず）と接続されるレンズマウント7を有している。またマウント側筐体3の下側には、後述する凸形状のマウント筺体が設けられている。
【００１３】
フォーカス回転ギア4は、レンズ筺体200内の焦点距離を調整するフォーカスレンズ群（図示せず）を光軸Ｏの方向に直進移動するフォーカス移動機構（図示せず）と連結し、光軸０を中心に回転することで焦点距離調整が可能となる。またズーム回転ギア5は、レンズ筺体200内の画角を変化させる変倍レンズ群（図示せず）を光軸Ｏの方向に直進移動するズーム移動機構（図示せず）と連結し、光軸０を中心に回転することで画角変化が可能となる。さらにアイリス回転ギアは、レンズ筺体200内の開口径を変化させる絞り径変更機構（図示せず）と連結し、光軸０を中心に回転することで絞り値の変更が可能となる。
【００１４】
レンズ筺体200とドライブユニット300が取り付けられた状態の時は、ズーム回転ギア5、アイリス回転ギア6は、ドライブユニット300に設けられたそれぞれの駆動ギア（図示せず）と螺合結合する。そしてドライブユニット300からの各操作部（図示せず）からの操作と、操作指示を受けた制御回路基板（図示せず）からの指令でそれぞれのギアが回転し、レンズ筺体200内のレンズ配置や開口径が変化し、所望する光学性能を導くことができる。
【００１５】
なお、実施例ではズーム、アイリスの操作としているが、フォーカス回転ギアと螺合結合する駆動ギアと駆動部、及び制御回路をドライブユニット300内に設けることでフォーカス操作も可能である。
【００１６】
レンズマウント7には、通電用の電気接点8が設けられており、レンズ装置100とカメラ装置がレンズマウント7で接続された時、カメラ装置側の接点（図示せず）と通電し、レンズ装置100とカメラ装置間で通信や電源供給が可能な状態となる。電気接点8は、レンズマウント7、マウント側筐体3の内部の配線ケーブルを介して、後述するコネクタ筺体の接続コネクタと通電している。
【００１７】
またドライブユニット300には、カメラ装置の方向に設けられた接続口9に、接続ケーブル10が取り付けられている。接続ケーブル10は、カメラ装置と接続して、ドライブユニット300内のズーム、アイリスの制御回路基板への電源供給や、シリアルでの双方向の通信を行う。シリアル通信では、アイリスコントロールをカメラ装置側からの制御信号で行ったり、レンズ装置100のズーム、アイリスの各位置情報をカメラ装置側へ送信する。
【００１８】
また接続ケーブル10は、カメラ装置との接続以外でもレンズ装置100と通信可能な外部接続装置（図示せず）や、ドライブユニット300の動作に適切な電源供給を行う外部電源供給装置（図示せず）との接続にも使用される。さらに接続ケーブル10は、後述するコネクタ筺体にある接続コネクタとも接続可能で、電気接点8を介してカメラ装置との通電にも使用することができる。
【００１９】
図2は、レンズ装置100をカメラ装置側から見た概要図である。なお、先に説明した図と同一部分には同一符号を付している。図2では、ドライブユニット300がレンズ筺体200から取り外された状態となっている。図2において、レンズ筺体200とドライブユニット300には、互いを連結するための連結部が設けられている。レンズ筺体200の中筺体2には、連結部材（上）11aと連結部材（下）11bが、ドライブユニット300の筺体12には連結部材（上）13aと連結部材（下）13bが設けられている。なお、図中では上下に2か所図示されているが、光軸０方向に前後にも設けられているので連結部は合計4か所となる。
【００２０】
図3、図4は、それぞれ上記の連結部の上側と下側を拡大した概要図で、ここで連結部の構成を説明する。連結部材（上）11aと13a、及び連結部材（下）11bと13bの間には、それぞれが接するための接触面14、15を有し、また連結部材（上）11aと連結部材（下）11bにはネジ穴16、17が、連結部材（上）13aと連結部材（下）13bには抜き穴18、19が設けられている。なお筺体12には、抜き穴18、19の周囲に凹形状の窪み（図示せず）が設けられており、抜き穴18、19は外側から容易に視認できる。
【００２１】
ドライブユニット300がレンズ筺体200に連結される時は、固定ネジ20を抜き穴18、19に挿入し、ネジ穴16、17と締結して連結部材（上）11aと13a、及び連結部材（下）11bと13bのそれぞれを連結する。ところで、本実施例では固定ネジ20を使用して連結しているが、引掛ける形状のフックと固定するための回転レバーなどを用いても良く、実施例の形態に限定されるものではない。
【００２２】
続いてコネクタ筺体とドライブユニット300の接続の構成について説明する。マウント側筺体3の下側には、凸形状のコネクタ筺体21が取り付けられている。またコネクタ筺体21には内部ケーブル22を介して電気接点8と接続する接続コネクタ23が固定されており、ドライブユニット300の方向に接続面を有する。レンズ筺体200の各操作ギア（フォーカス回転ギア4、ズーム回転ギア5、アイリス回転ギア6）を手動で回転操作する場合は、左手での操作（紙面左側）から行うため、上述の接続面でケーブルが接続されても操作を損なうことが無い。
【００２３】
また接続面がドライブユニット300より下側にあり操作する領域から離れているため、ドライブユニットの操作も問題なく行うことができる。
【００２４】
図2では、接続コネクタ23を保護する保護カバー24が取り付けられている。保護カバー24の上側端面には、光軸Ｏの方向に回転中心を持つ回転ヒンジ25が取り付けられており、回転ヒンジ25によって保護カバー24が開閉が可能となっている。保護カバー24が閉まった状態では、接続コネクタ23へ外側より接続できない状態となる。そして保護カバー24が開いた状態では、接続コネクタ23への接続が外側より可能な状態となる。
【００２５】
またコネクタ筺体21には、回転ヒンジ25に近接してドライブユニット300の方向に開いたガイド穴26が設けられている。さらにドライブユニット300には、ガイド軸27が取り付けられており、ドライブユニット300がレンズ筺体200と連結する時には、ガイド軸27がガイド穴26に挿入される。ガイド軸27は、筺体12内の直動機構（図示せず）によりレンズ筺体200側の方向にスライドが可能となっており、筺体12に設けられた切替ノブ28を用いてガイド軸27の出張り量を切り替えることができる。
【００２６】
図5は、切替ノブ28の概要図である。図5において、切替ノブ28は、切替ノブ28に表示された指標29が表示「AUX」の位置に合致している。この時、ガイド軸27はレンズ筺体200側への出張り量が少ない状態となっている。切替ノブ28は、側面部に凸形状の突起30を有しており、筺体12に設けられた凹形状の切り欠き31a、又は31bに嵌り込んで移動位置が規制される。図5では、切り欠き31aに嵌っている。切替ノブ28を移動すると、突起30がもう片方の切り欠き31bに嵌り込んで移動位置が規制され、このとき指標29は表示「LENS」の位置に合致する。
【００２７】
この時、ガイド軸27はレンズ筺体200側への出張り量が多い状態となる。そしてレンズ筺体200とドライブユニット300が連結された状態では、ガイド軸27の出張り量が多くなったため、図2のガイド穴26の内部にある押し当て板32をガイド穴26の奥側へ押し込む状態となる。押し当て板32は、回転ヒンジ25と連結し、保護カバー24とは回転ヒンジ25を中心に略反対方向にあり、ガイド軸27に押し込まれると回転ヒンジ25によりガイド穴26から逃げて、同時に保護カバーが開く方向に回転する。
【００２８】
ところで切替ノブ28の突起30は、樹脂など弾性変形する材料で製造されており、切り欠き31a、31bから脱するときは弾性変形して切替ノブ28が移動する。ここで切り欠き31a、31bから脱する時に必要な操作力は、後述する保護カバー24のスプリングバネの弾性力より強く設定されている。なお、図5では突起30と切り欠き31a、31bの組み合わせで切替ノブ28の移動を規制しているが、他にボールプランジャやバネによる引っ掛けを用いた従来の位置決め手段でも代用可能であり、実施例に限定されたものではない。
【００２９】
図6、図7は、保護カバー24が開閉する構造の構成を表した概要図で、図6は図2の保護カバー24と周囲の構造を、また図7は図6の紙面右側から見た構造を示している。
なお、先に説明した図と同一部分には同一符号を付している。
【００３０】
回転ヒンジ25は、回転軸33に係合し、回転軸33の両端面は軸受け34,35で保持されている。また回転ヒンジ25には連結部材36を介して押し当て板32が取り付けられている。押し当て板32は、保護カバー24が閉まった状態ではガイド穴26の中に留まり、保護カバー24が開いた状態では、回転ヒンジ25が回転してガイド穴26から脱した位置に停止する。また回転ヒンジ25の紙面左側には、スプリングバネ37が取り付けられている。
【００３１】
スプリングバネ37から伸びたアーム38は保護カバー24に固定され、もう片方のアーム39はコネクタ筺体21の一部壁面に固定している。スプリングバネ37は、保護カバー24が閉まる方向に弾性力を有し、この時保護カバー24はコネクタ筺体21の開口枠40に収まっている。
【００３２】
続いて、接続コネクタ23への接続の動作ついて説明する。図2のように、ドライブユニット300がレンズ筺体200から取り外された状態では、コネクタ筺体21の保護カバー24はスプリングバネ37の弾性力により閉まった状態で保持されており、外側から接続コネクタ23への接続はできない。この時、押し当て板32はガイド穴26の中にある。ドライブユニット300の切替ノブ28は、図2では「AUX」の位置にあり、ガイド軸27は出張り量が少ない状態となっている。
【００３３】
次に、ドライブユニット300を、固定ネジ20を使用して、連結部材（上）11aと13a、及び連結部材（下）11bと13bの箇所でレンズ本体200に連結する。このとき、ガイド軸27がガイド穴26に挿入され、レンズ筺体200とドライブユニット300の取り付け位置が確定する。また、連結時にはドライブユニット300側の駆動ギア（図示せず）がズーム回転ギア、絞り回転ギアと螺合結合し、レンズ筺体200のレンズ操作が可能となる。
【００３４】
ここで、切替ノブ28が「AUX」の位置では、ガイド軸27は押し当て板32を押し込む位置まで至らないため、保護カバー24は閉じた状態となっている。したがってドライブユニット300への電源供給や通信を行う場合は、接続ケーブル10を外部電源供給装置や外部接続装置と接続する。
【００３５】
切替ノブ28を「LENS」の位置にすると、図8のようにガイド軸27の出張り量が増えて押し当て板32をスプリングバネ37の弾性力に逆らって押し込み、保護カバー24が開いて接続コネクタ24への接続が可能となる。図8では、接続ケーブル10が接続された状態となっている。したがってドライブユニット300への電源供給や通信は、電気接点8を経由してカメラ装置側より行う。
【００３６】
以上のように、実施例では操作者が意図して保護カバー24を開けないと接続コネクタ23への接続ができないため、誤動作を回避して円滑に動作するレンズ装置を提供することができる。特に、ドライブユニット300がレンズ筺体200から取り外された状態では常に接続できない状態であり円滑である。
【符号の説明】
【００３７】
8  電気接点
10  接続ケーブル
21  コネクタ筺体
23  接続コネクタ
24  保護カバー
25  回転ヒンジ
26  ガイド穴
27  ガイド軸
28  切替ノブ
32  押し当て板
37  スプリングバネ
【図１】
2018077366.tif 000003
【図２】
2018077366.tif 000004
【図３】
2018077366.tif 000005
【図４】
2018077366.tif 000006
【図５】
2018077366.tif 000007
【図６】
2018077366.tif 000008
【図７】
2018077366.tif 000009
【図８】
2018077366.tif 000010